(57)【要約】【課題】情報の書き込み及び読み取りが可能な記録媒体を用いて情報を提供する情報提供システムにおいて、携帯端末を所持しているか否かに関わらずに情報を提供する。【解決手段】  情報対象となる店舗１０ａ，１０ｂやゲーム機１０ｃに対応して設けられた情報書込／読取装置１１ａ〜１１ｃにて店舗１０ａ，１０ｂやゲーム機１０ｃを識別可能な情報対象ＩＤをＩＣタグ１００に書き込み、その後、リクエスト端末２０にてＩＣタグ１００からＩＣタグ１００のタグＩＤとＩＣタグ１００に書き込まれた情報対象ＩＤが読み取られた場合に、これらの情報が情報提供手段４０に送信される。情報提供手段４０においては、店舗１０ａ，１０ｂやゲーム機１０ｃに関する情報が管理されており、リクエスト端末２０から送信されてきた情報に含まれる情報対象ＩＤに対応する情報が提供される。【選択図】図１
2005044269.tif 000002
【特許請求の範囲】
【請求項１】
情報の書き込み及び読み取りが可能に構成され、固有となる第１の識別情報が予め書き込まれた記録媒体を用いて情報を提供する情報提供システムにおいて、
少なくとも１つの情報対象に対応して設けられ、前記情報対象に予め付与された第２の識別情報を前記記録媒体に書き込む情報書込手段と、
前記記録媒体に書き込まれた情報を読み取り可能に構成され、前記記録媒体に書き込まれた情報が読み取られた場合に該情報を通信回線を介して送信する情報提供要求手段と、
前記情報対象に関する情報を管理しておき、前記情報提供要求手段から送信された情報を通信回線を介して受信し、受信した情報に含まれる前記第２の識別情報によって識別される情報対象のうち情報が提供される情報対象を指定するための第１の情報画面と、該第１の情報画面によって指定された情報対象に関する情報の提供先を指定するための第２の情報画面とを前記情報提供要求手段に送信し、管理している情報対象に関する情報のうち、前記情報提供要求手段にて前記第１の情報画面を用いて指定された情報対象に関する情報を、前記情報提供要求手段にて前記第２の情報画面を用いて指定された提供先に提供する情報提供手段とを有することを特徴とする情報提供システム。
【請求項２】
請求項１に記載の情報提供システムにおいて、
前記第２の情報画面は、前記情報対象に関する情報の提供方法を指定可能に構成され、
前記情報提供手段は、前記情報提供要求手段にて前記第２の情報画面を用いて指定された提供方法によって前記情報対象に関する情報を前記提供先に提供することを特徴とする情報提供システム。
【請求項３】
請求項１または請求項２に記載の情報提供システムにおいて、
前記情報提供手段は、前記第２の識別情報によって識別される情報対象に関する情報の提供状況を前記第１の識別情報に対応づけて管理しておき、その後、前記記録媒体から読み取られた情報が前記情報提供要求手段から送信されてきた場合に、該送信されてきた情報に含まれる前記第１の識別情報が登録されている場合、該第１の識別情報に対応づけられた提供状況を前記第１の情報画面に掲載することを特徴とする情報提供システム。
【発明の詳細な説明】
【技術分野】
【０００１】
本発明は、情報の書き込み及び読み取りが可能なＩＣチップが搭載された記録媒体を用いて情報を提供する情報提供システムに関する。
【背景技術】
【０００２】
近年、情報の書き込み及び読み取りが可能な記録媒体においては、様々な種類のものが普及しており、その中でも、シート等のベース基材上に情報の書き込み及び読み取りが可能なＩＣチップが搭載されたＩＣタグ等の記録媒体においては、薄型であるにも関わらず記憶容量が大きいため、急速な普及が進んでいる。
【０００３】
このようなベース基材上にＩＣチップが搭載された記録媒体においては、利便性の高さ及び記憶容量の大きさから様々な用途に使用されており、例えば、ＩＣチップに予め書き込まれた識別情報が携帯端末にて読み取られ、読み取られた識別情報が携帯端末にて通信回線を介してサーバに通知された場合に、サーバにて識別情報に予め対応づけられた情報が携帯端末に提供されるシステムが考えられている（例えば、特許文献１参照。）。
【０００４】
このように、ベース基材上にＩＣチップが搭載された記録媒体を用いて情報を提供する情報提供システムにおいては、利用者が、記録媒体のＩＣチップに書き込まれた識別情報を読み取り可能な携帯端末さえ所持していれば、所望の情報対象についての詳細な情報を取得することができるため、今後、情報提供手段としての利用数の増加が見込まれている。
【特許文献１】特開２００２−９２２３１号公報
【発明の開示】
【発明が解決しようとする課題】
【０００５】
しかしながら、上述したように、ＩＣチップに予め書き込まれた識別情報が携帯端末にて読み取られ、読み取られた識別情報が携帯端末にて通信回線を介して情報提供手段に通知された場合に、情報提供手段にて識別情報に予め対応づけられた情報を携帯端末に提供するものにおいては、携帯端末を所持している利用者に対してしか情報が提供されないため、情報を提供する側においては情報の提供先が限定されてしまい、また、利用者にとっては携帯端末を所持していなければ所望の情報対象についての詳細な情報を取得することができないという問題点がある。
【０００６】
本発明は、上述したような従来の技術が有する問題点に鑑みてなされたものであって、情報の書き込み及び読み取りが可能な記録媒体を用いて情報を提供する情報提供システムにおいて、携帯端末を所持しているか否かに関わらずに情報を提供することができる情報提供システムを提供することを目的とする。
【課題を解決するための手段】
【０００７】
上記目的を達成するために本発明は、
情報の書き込み及び読み取りが可能に構成され、固有となる第１の識別情報が予め書き込まれた記録媒体を用いて情報を提供する情報提供システムにおいて、
少なくとも１つの情報対象に対応して設けられ、前記情報対象に予め付与された第２の識別情報を前記記録媒体に書き込む情報書込手段と、
前記記録媒体に書き込まれた情報を読み取り可能に構成され、前記記録媒体に書き込まれた情報が読み取られた場合に該情報を通信回線を介して送信する情報提供要求手段と、
前記情報対象に関する情報を管理しておき、前記情報提供要求手段から送信された情報を通信回線を介して受信し、受信した情報に含まれる前記第２の識別情報によって識別される情報対象のうち情報が提供される情報対象を指定するための第１の情報画面と、該第１の情報画面によって指定された情報対象に関する情報の提供先を指定するための第２の情報画面とを前記情報提供要求手段に送信し、管理している情報対象に関する情報のうち、前記情報提供要求手段にて前記第１の情報画面を用いて指定された情報対象に関する情報を、前記情報提供要求手段にて前記第２の情報画面を用いて指定された提供先に提供する情報提供手段とを有することを特徴とする。
【０００８】
また、前記第２の情報画面は、前記情報対象に関する情報の提供方法を指定可能に構成され、
前記情報提供手段は、前記情報提供要求手段にて前記第２の情報画面を用いて指定された提供方法によって前記情報対象に関する情報を前記提供先に提供することを特徴とする。
【０００９】
また、前記情報提供手段は、前記第２の識別情報によって識別される情報対象に関する情報の提供状況を前記第１の識別情報に対応づけて管理しておき、その後、前記記録媒体から読み取られた情報が前記情報提供要求手段から送信されてきた場合に、該送信されてきた情報に含まれる前記第１の識別情報が登録されている場合、該第１の識別情報に対応づけられた提供状況を前記第１の情報画面に掲載することを特徴とする。
【００１０】
上記のように構成された本発明においては、情報の書き込み及び読み取りが可能に構成され、固有となる第１の識別情報が予め書き込まれた記録媒体を、少なくとも１つの情報対象に対応して設けられた情報書込手段に翳したり装着したりすると、情報書込手段において、情報対象に予め付与された第２の識別情報が記録媒体に書き込まれる。その後、記録媒体を情報提供要求手段に翳したり装着したりすると、情報提供要求手段にて記録媒体に書き込まれた第１の識別情報及び第２の識別情報とが読み取られ、これらの情報が情報提供手段に送信される。情報提供手段においては、情報対象に関する情報が管理されており、情報提供要求手段から送信された情報が通信回線を介して受信されると、受信された情報に含まれる第２の識別情報によって識別される情報対象のうち情報が提供される情報対象を指定するための第１の情報画面と、該第１の情報画面によって指定された情報対象に関する情報の提供先を指定するための第２の情報画面とが情報提供要求手段に送信される。その後、情報提供要求手段において、第１の情報画面を用いて情報対象が指定され、また、第２の情報画面を用いて提供先が指定されると、情報提供手段において、管理している情報対象に関する情報のうち、第１の情報画面を用いて指定された情報対象に関する情報が、第２の情報画面を用いて指定された提供先に提供される。
【００１１】
このように、情報対象に対応して設けられた情報書込手段に記録媒体を翳したり装着したりすることにより、情報対象に予め付与された第２の識別情報を記録媒体に書き込み、この記録媒体を情報提供要求手段に翳したり装着したりすることにより、記録媒体に書き込まれた第２の識別情報と、記録媒体に予め書き込まれた記録媒体固有の第１の識別情報とを情報提供要求手段にて読み取らせることにより、記録媒体を翳したり装着したりした情報書込手段に対応する情報対象に関する情報が提供されるので、携帯端末よりも携帯しやすい記録媒体を所持しているだけで情報を提供することができる。
【００１２】
また、第２の情報画面を、情報対象に関する情報の提供方法を指定可能に構成し、情報提供手段において、情報提供要求手段にて第２の情報画面を用いて指定された提供方法によって情報対象に関する情報を提供先に提供すれば、記録媒体を所持する利用者の希望に応じた任意の方法で情報を提供することができる。
【００１３】
また、情報提供手段において、第２の識別情報によって識別される情報対象に関する情報の提供状況を第１の識別情報に対応づけて管理しておき、その後、記録媒体から読み取られた情報が情報提供要求手段から送信されてきた場合に、該送信されてきた情報に含まれる第１の識別情報が登録されている場合、該第１の識別情報に対応づけられた提供状況が第１の情報画面に掲載されれば、記録媒体を用いて情報の提供を受けた後に、同一の記録媒体に書き込まれた情報を情報提供要求手段にて読み取らせた際に、過去の情報提供状況を認識することができる。
【発明の効果】
【００１４】
以上説明したように本発明においては、情報の書き込み及び読み取りが可能に構成され、固有となる第１の識別情報が予め書き込まれた記録媒体を用いて情報を提供する情報提供システムにおいて、少なくとも１つの情報対象に対応して設けられ、情報対象に予め付与された第２の識別情報を記録媒体に書き込む情報書込手段と、記録媒体に書き込まれた情報を読み取り可能に構成され、記録媒体に書き込まれた情報が読み取られた場合に該情報を通信回線を介して送信する情報提供要求手段と、情報対象に関する情報を管理しておき、情報提供要求手段から送信された情報を通信回線を介して受信し、受信した情報に含まれる第２の識別情報によって識別される情報対象のうち情報が提供される情報対象を指定するための第１の情報画面と、該第１の情報画面によって指定された情報対象に関する情報の提供先を指定するための第２の情報画面とを情報提供要求手段に送信し、管理している情報対象に関する情報のうち、情報提供要求手段にて第１の情報画面を用いて指定された情報対象に関する情報を、情報提供要求手段にて第２の情報画面を用いて指定された提供先に提供する情報提供手段とを有する構成としたため、所持している記録媒体を用いて情報が提供されることになり、携帯端末を所持しているか否かに関わらずに情報を提供することができる。さらに、情報書込手段は、情報対象の第２の識別情報を記憶する機能と、記憶された第２の識別情報を記録媒体に書き込む機能とを有していればよく、ネットワーク接続する必要がないため簡易に設置できる。すなわち、企業等の情報提供を行う側としては、ネットワーク接続することなく情報書込手段を設置できるため、比較的簡単に運用を開始することができ、また一方、利用者は記録媒体を所持するだけで、ほしい情報のみを所望の方法で入手することができる。
【００１５】
また、第２の情報画面が、情報対象に関する情報の提供方法を指定可能に構成され、情報提供手段において、情報提供要求手段にて第２の情報画面を用いて指定された提供方法によって情報対象に関する情報を提供先に提供する構成としたものにおいては、記録媒体を所持する利用者の希望に応じた任意の方法で情報を提供することができる。
【００１６】
また、情報提供手段において、第２の識別情報によって識別される情報対象に関する情報の提供状況を第１の識別情報に対応づけて管理しておき、その後、記録媒体から読み取られた情報が情報提供要求手段から送信されてきた場合に、該送信されてきた情報に含まれる第１の識別情報が登録されている場合、該第１の識別情報に対応づけられた提供状況を第１の情報画面に掲載する構成としたものにおいては、記録媒体を用いて情報の提供を受けた後に、同一の記録媒体に書き込まれた情報を情報提供要求手段にて読み取らせた際に、過去の情報提供状況を認識することができる。
【発明を実施するための最良の形態】
【００１７】
以下に、本発明の実施の形態について図面を参照して説明する。
【００１８】
図１は、本発明の情報提供システムの実施の一形態を示す図である。
【００１９】
本形態は図１に示すように、固有の第１の識別情報であるタグＩＤが予め書き込まれ、非接触状態にて情報の書き込み及び読み取りが可能な記録媒体であるＩＣタグ１００と、情報対象となる店舗１０ａ，１０ｂやゲーム機１０ｃのそれぞれに対応して設置され、店舗１０ａ，１０ｂやゲーム機１０ｃのそれぞれに予め付与された第２の識別情報である情報対象ＩＤを非接触状態にてＩＣタグ１００に書き込む情報書込手段である情報書込／読取装置１１ａ〜１１ｃと、ＩＣタグ１００に書き込まれた情報を読み取り可能に構成され、ＩＣタグ１００に書き込まれた情報が読み取られた場合に該情報を通信回線となるインターネット３０を介して送信し、店舗１０ａ，１０ｂやゲーム機１０ｃに関する情報の提供先及び提供方法を指定するための情報提供要求手段であるリクエスト端末２０と、店舗１０ａ，１０ｂやゲーム機１０ｃに関する情報を管理しておき、リクエスト端末２０から送信された情報を受信し、受信された情報に含まれる情報対象ＩＤ、あるいは受信された情報に含まれる情報対象ＩＤとタグＩＤに対応づけて管理されている情報提供状況とに基づいて、取得したい情報、該情報の提供先及び提供方法を指定するための情報画面を作成し、リクエスト端末２０に送信し、リクエスト端末２０における該情報画面を用いた指定に基づいて、タグＩＤに対応づけて情報提供状況を管理するとともに、店舗１０ａ，１０ｂやゲーム機１０ｃに関する情報のうち対応する情報を提供する情報提供手段４０とから構成されている。なお、本形態においては、情報が提供される情報対象として、店舗１０ａ，１０ｂとゲーム機１０ｃとを例に挙げて図示しているが、店舗やゲーム機の数はこれに限らず、また、情報対象としては店舗やゲーム機に限らない。また、リクエスト端末２０は、ＩＣタグ１００に書き込まれた情報を読み取るための情報読取部２１と、情報提供手段４０から送信されてきた情報画面が表示される表示部２２と、表示部２２に表示された情報画面に対する指定を行うための操作部２３と、インターネット３０を介しての情報の送受信を行う通信部２４と、情報読取部２１にてＩＣタグ１００から読み取られた情報の通信部２４を介しての送信や、情報提供手段４０から送信されてきた情報画面の表示部２２における表示や、表示部２２に表示された情報画面に対する操作部２３における指定や、表示部２２に表示された情報画面に対する指定の通信部２４を介しての送信を制御する制御部２５とから構成されている。また、情報提供手段４０は、店舗１０ａ，１０ｂやゲーム機１０ｃに関する情報を提供情報データベース４８に登録して管理する提供情報管理部４４と、店舗１０ａ，１０ｂやゲーム機１０ｃにそれぞれ付与された情報対象ＩＤと店舗１０ａ，１０ｂやゲーム機１０ｃの名称等とを対応づけて識別コードデータベース４７に登録して管理する識別コード管理部４３と、Ｗｅｂサーバ等から構成され、ＩＣタグ１００から読み取られ、リクエスト端末２０から送信されてきた情報を受信し、受信された情報に含まれる情報対象ＩＤ、あるいは受信された情報に含まれる情報対象ＩＤとタグＩＤに対応づけてタグ情報データベース４６に登録されている情報提供状況とに基づいて、取得したい情報、該情報の提供先及び提供方法を指定するための情報画面を作成し、リクエスト端末２０に送信する通信部４１と、リクエスト端末２０における通信部４１から送信された情報画面を用いた指定に基づいて、タグＩＤに対応づけて情報提供状況及び提供先情報をタグ情報データベース４６に登録して管理するタグ情報管理部４２と、提供情報管理部４４にて管理される提供情報のうち、リクエスト端末２０にて通信部４１から送信された情報画面を用いて指定された情報をリクエスト端末２０にて該情報画面を用いて指定された提供先あるいはタグ情報管理部４２にて管理されている提供先にリクエスト端末２０にて該情報画面を用いて指定された提供方法によって提供する情報出力部４５と、通信部４１、提供情報管理部４４、識別コード管理部４３、タグ情報管理部４２及び情報出力部４５の動作を制御する制御部４９とから構成されている。
【００２０】
以下に、上記のように構成された情報提供システムにおける情報提供方法について、店舗１０ａに設置された情報書込／読取装置１１ａにて店舗１０ａの情報対象ＩＤをＩＣタグ１００に書き込み、また、ゲーム機１０ｃに対応して設けられた情報書込／読取装置１１ｃにてゲーム機１０ｃの情報対象ＩＤをＩＣタグ１００に書き込み、その後、リクエスト端末２０にて店舗１０ａに関する情報提供を要求する場合の処理を例に挙げて説明する。
【００２１】
図２は、図１に示した情報提供システムにおける情報提供方法を説明するためのフローチャートである。
【００２２】
まず、ＩＣタグ１００を所持する利用者が、店舗１０ａに出向き、店舗１０ａに設置された情報書込／読取装置１１ａにＩＣタグ１００を翳すと、情報書込／読取装置１１ａにおいて、店舗１０ａに予め付与された情報対象ＩＤがＩＣタグ１００に書き込まれる（ステップＳ１）。また、その後同様に、ＩＣタグ１００を所持する利用者が、ゲーム機１０ｃに対応して設置された情報書込／読取装置１１ｃにＩＣタグ１００を翳すと、情報書込／読取装置１１ｃにおいて、ゲーム機１０ｃに予め付与された情報対象ＩＤがＩＣタグ１００に書き込まれる（ステップＳ２）。なお、ＩＣタグ１００には、ＩＣタグ１００毎に固有のタグＩＤが予め書き込まれており、この情報提供システムを利用している店舗１０ａ，１０ｂや街頭にて配布される。
【００２３】
その後、ＩＣタグ１００を所持する利用者が、この情報提供システムを利用している店舗１０ａ，１０ｂ等に設置されたリクエスト端末２０にＩＣタグ１００を翳すと、リクエスト端末２０の情報読取部２１において、ＩＣタグ１００に書き込まれた情報が読み取られる。なお、ＩＣタグ１００には、上述したように、ＩＣタグ１００固有のタグＩＤが予め書き込まれているとともに、情報書込／読取装置１１ａにて店舗１０ａの情報対象ＩＤが書き込まれ、また、情報書込／読取装置１１ｃにてゲーム機１０ｃの情報対象ＩＤが書き込まれているため、リクエスト端末２０の情報読取部２１においては、ＩＣタグ１００からＩＣタグ１００のタグＩＤと店舗１０ａ及びゲーム機１０ｃの情報対象ＩＤとが読み取られる（ステップＳ３）。
【００２４】
すると、リクエスト端末２０においては、情報読取部２１にてＩＣタグ１００から読み取られた情報が通信部２４から送信される（ステップＳ４）。
【００２５】
リクエスト端末２０の通信部２４から送信された情報は、インターネット３０を介して情報提供手段４０の通信部４１にて受信される（ステップＳ５）。
【００２６】
リクエスト端末２０の通信部２４から送信された情報が情報提供手段４０にて受信されると、情報提供手段４０においては、まず、タグ情報管理部４２において、タグ情報データベース４６が参照され、通信部４１にて受信された情報に含まれるタグＩＤに対応づけられた情報提供状況が登録されているかどうかが検索される（ステップＳ６）。なお、このフローにおいては、ＩＣタグ１００に書き込まれた情報がステップＳ３において初めてリクエスト端末２０にて読み取られたことになるため、タグ情報データベース４６には、通信部４１にて受信された情報に含まれるタグＩＤに対応づけられた情報提供状況は登録されていない。また、ＩＣタグ１００に書き込まれた情報が既にリクエスト端末２０にて読み取られている場合は、通信部４１にて受信された情報に含まれるタグＩＤに対応づけられた情報提供状況がタグ情報データベース４６に登録されており、その情報提供状況がタグ情報データベース４６から抽出されることになるが、その場合の処理については後述する。
【００２７】
次に、識別コード管理部４３において、識別コードデータベース４７が参照され、通信部４１にて受信された情報に含まれる店舗１０ａ及びゲーム機１０ｃの情報対象ＩＤに対応する店舗１０ａ及びゲーム機１０ｃの名称が検索される（ステップＳ７）。なお、識別コードデータベース４７においては、店舗１０ａ，１０ｂ及びゲーム機１０ｃの情報対象ＩＤと店舗１０ａ，１０ｂ及びゲーム機１０ｃの名称とが対応づけられて登録されている。
【００２８】
次に、情報提供手段４０の通信部４１において、識別コード管理部４３にて識別コードデータベース４７から検索された店舗１０ａ及びゲーム機１０ｃの名称が掲載され、取得したい情報を指定するための第１の情報画面である情報対象指定画面が作成され、送信される（ステップＳ８）。
【００２９】
情報提供手段４０の通信部４１から送信された情報対象指定画面は、インターネット３０を介してリクエスト端末２０の通信部２４にて受信され、制御部２５における制御によって表示部２２に表示される（ステップＳ９）。
【００３０】
図３は、図１に示した情報提供システムにおいて情報提供手段４０から送信され、リクエスト端末２０にて受信、表示される情報対象指定画面の一例を示す図である。
【００３１】
図３に示すように、情報提供手段４０から送信され、リクエスト端末２０にて受信、表示される情報対象指定画面においては、識別コード管理部４３にて識別コードデータベース４７から検索された店舗１０ａの名称１ａ及びゲーム機１０ｃの名称１ｃが掲載されているとともに、これら名称１ａ，１ｃに隣接する領域に、店舗１０ａとゲーム機１０ｃに関する情報提供を指定するためのチェックボタン２ａ，２ｃが設けられている。また、店舗１０ａ及びゲーム機１０ｃのそれぞれについて、タグ情報データベース４６における情報提供状況３ａ，３ｂが掲載されており、また、チェックボックス２ａ，２ｃによって指定した店舗１０ａあるいはゲーム機１０ｃの情報提供を要求するためのＯＫボタン４と、チェックボックス２ａ，２ｃによって指定した店舗１０ａあるいはゲーム機１０ｃの情報提供対象からの削除を指定するための削除ボタン５とが設けられている。
【００３２】
図３に示したような情報対象指定画面を用いて、情報対象指定画面に掲載された情報対象のうち、情報を取得したい情報対象がチェックボタン２ａ，２ｃをチェックすることによって指定され、ＯＫボタン４が押下されると（ステップＳ１０）、情報対象指定画面にて指定された情報対象が何であるかが情報提供手段４０の通信部４１にて受信される（ステップＳ１１）。本形態においては、店舗１０ａに対応するチェックボタン２ａがチェックされてＯＫボタン４が押下されることになるため、情報提供手段４０の通信部４１においては、情報対象指定画面にて店舗１０ａが指定されたことが受信されることになる。
【００３３】
すると、情報提供手段４０の通信部４１においては、ステップＳ１０にて指定された店舗１０ａに関する情報の提供方法を指定するための第２の情報画面である提供方法指定画面が作成され、送信される（ステップＳ１２）。
【００３４】
情報提供手段４０の通信部４１から送信された提供方法指定画面は、インターネット３０を介してリクエスト端末２０の通信部２４にて受信され、制御部２５における制御によって表示部２２に表示される（ステップＳ１３）。
【００３５】
図４は、図１に示した情報提供システムにおいて情報提供手段４０から送信され、リクエスト端末２０にて受信、表示される提供方法指定画面の一例を示す図である。
【００３６】
図４に示すように、情報提供手段４０から送信され、リクエスト端末２０にて受信、表示される提供方法指定画面においては、ステップＳ１０にて指定された店舗１０ａに関する情報の提供方法を指定するためのチェックボタン６ａ〜６ｄが設けられているとともに、これらチェックボタン６ａ〜６ｄによって指定した提供方法によって情報を提供する場合の提供先情報を入力するための提供先情報入力エリア７ａ〜７ｄが設けられている。また、チェックボタン６ａ〜６ｄによって指定した提供方法によって提供先情報入力エリア７ａ〜７ｄに入力した提供先に情報を提供することを指定するためのＯＫボタン８が設けられている。
【００３７】
図４に示したような提供方法指定画面を用いて、情報の提供方法がチェックボタン６ａ〜６ｄをチェックすることによって指定され、また、情報の提供先が提供先情報入力エリア７ａ〜７ｄに電子メールアドレスやＦＡＸ番号あるいは住所等が入力されることにより指定され、ＯＫボタン８が押下されると（ステップＳ１４）、提供方法指定画面にて指定された情報が情報提供手段４０の通信部４１にて受信される（ステップＳ１５）。
【００３８】
すると、情報提供手段４０においては、まず、提供情報管理部４４において、提供情報データベース４８が参照され、ステップＳ１０にて指定された店舗１０ａに関する情報が検索される（ステップＳ１６）。提供情報データベース４８には、店舗１０ａ，１０ｂ及びゲーム機１０ｃに関する、新着情報やクーポン、バーゲン情報等の情報が、店舗１０ａ，１０ｂ及びゲーム機１０ｃの情報対象ＩＤと対応づけられて登録されており、提供情報管理部４４においては、ステップＳ１０にて指定された店舗１０ａの情報対象ＩＤを用いて、指定された店舗１０ａに関する情報が検索されることになる。
【００３９】
その後、提供情報管理部４４にて提供情報データベース４８から検索された店舗１０ａに関する情報は情報出力部４５に渡され、情報出力部４５において、提供情報管理部４４から渡された情報が、ステップＳ１４にて指定された提供方法によって指定された提供先に提供される（ステップＳ１７）。
【００４０】
また、タグ情報管理部４２において、タグ情報データベース４６に登録された情報提供状況が更新される（ステップＳ１８）。上述したようにタグ情報データベース４６においては、ＩＣタグ１００に書き込まれた情報が既にリクエスト端末２０にて読み取られ、ＩＣタグ１００を所持する利用者に情報提供が行われている場合は、リクエスト端末２０にてタグＩＤとともにＩＣタグ１００から読み取られた情報対象ＩＤと、その情報対象ＩＤによって識別される情報対象に関する情報の情報提供状況と、情報対象に関する情報が提供された際に指定された提供先情報とからなる情報提供状況が、ＩＣタグ１００のタグＩＤに対応づけて登録されており、その後に、同一のタグＩＤに対応して情報の提供が行われた場合は、タグ情報データベース４６に登録された情報提供状況が、今回の情報提供状況を用いて更新される。
【００４１】
図５は、図１に示した情報提供システムにおいて、情報提供手段４０から送信され、リクエスト端末２０にて受信、表示される情報対象指定画面の他の例を示す図である。
【００４２】
ステップＳ１８にて情報提供手段４０から店舗１０ａに関する情報提供を受けた利用者が、その後、店舗１０ｂに設置された情報書込／読取装置１１ｂにＩＣタグ１００を翳し、それにより、店舗１０ｂの情報対象ＩＤがＩＣタグ１００に書き込まれた後、ＩＣタグ１００をリクエスト端末２０に翳すと、情報提供手段４０の通信部４１からは図５に示したような情報対象指定画面が送信され、リクエスト端末２０にて受信、表示されることになる。
【００４３】
情報提供手段４０においては、ステップＳ１８にてＩＣタグ１００を用いた情報提供状況として、店舗１０ａに関する情報が提供済であり、また、ゲーム機１０ｃに関する情報についてはゲーム機１０ｃの情報対象ＩＤがＩＣタグ１００に書き込まれているもののまだ提供されていない旨がタグ情報データベース４６に登録されているため、店舗１０ａの名称１ａに対しては「提供済」という情報提供状況３ａが掲載され、ゲーム機１０ｃの名称１ｃに対しては「未提供」という情報提供状況３ｃが掲載されている。また、今回リクエスト端末２０にてＩＣタグ１００から読み取られた情報対象ＩＤのうち、タグ情報データベース４６に登録されていない情報対象ＩＤによって識別される店舗１０ｂの名称１ｂに対しては「新規」という情報提供状況３ｂが掲載されることになる。
【００４４】
また、図５に示したような情報対象指定画面にて情報対象が指定されると、情報提供手段４０の通信部４１から図４に示したような提供方法指定画面が送信され、リクエスト端末２０にて受信、表示されることになるが、提供方法指定画面に設けられた提供先情報入力エリア７ａ〜７ｄには、ステップＳ１４にて指定された提供先情報が設定されており、この提供先情報をそのまま指定することもできるし、提供先情報を変更して入力することもできる。
【００４５】
なお、本形態においては、記録媒体として、非接触状態にて情報の書き込み及び読み出しが可能なＩＣタグ１００を例に挙げて説明したが、記録媒体としては、非接触状態にて情報の書き込み及び読み出しが可能なＩＣカードや、接触状態にて情報の書き込み及び読み出しが可能なＩＣタグやＩＣカード等も考えられる。なお、接触状態にて情報の書き込み及び読み出しが可能なＩＣタグやＩＣカードを記録媒体として用いた場合は、情報書込／読取装置１１ａ〜１１ｃにて記録媒体に情報を書き込む際、並びにリクエスト端末２０にて記録媒体に書き込まれた情報を読み取る際は、記録媒体を情報書込／読取装置１１ａ〜１１ｃあるいはリクエスト端末２０に翳すのではなく、記録媒体を情報書込／読取装置１１ａ〜１１ｃあるいはリクエスト端末２０に装着することになる。
【図面の簡単な説明】
【００４６】
【図１】本発明の情報提供システムの実施の一形態を示す図である。
【図２】図１に示した情報提供システムにおける情報提供方法を説明するためのフローチャートである。
【図３】図１に示した情報提供システムにおいて情報提供手段から送信され、リクエスト端末にて受信、表示される情報対象指定画面の一例を示す図である。
【図４】図１に示した情報提供システムにおいて情報提供手段から送信され、リクエスト端末にて受信、表示される提供方法指定画面の一例を示す図である。
【図５】図１に示した情報提供システムにおいて、情報提供手段から送信され、リクエスト端末にて受信、表示される情報対象指定画面の他の例を示す図である。
【符号の説明】
【００４７】
１ａ〜１ｃ    名称
２ａ〜２ｃ，６ａ〜６ｄ    チェックボックス
３ａ〜３ｃ    情報提供状況
４，８    ＯＫボタン
５    削除ボタン
７ａ〜７ｄ    提供先情報入力エリア
１０ａ，１０ｂ    店舗
１０ｃ    ゲーム機
１１ａ〜１１ｃ    情報書込／読取装置
２０    リクエスト端末
２１    情報読取部
２２    表示部
２３    操作部
２４，４１    通信部
２５，４９    制御部
３０    インターネット
４０    情報提供手段
４２    タグ情報管理部
４３    識別コード管理部
４４    提供情報管理部
４５    情報出力部
４６    タグ情報データベース
４７    識別コードデータベース
４８    提供情報データベース
１００    ＩＣタグ
【図１】
2005044269.tif 000003
【図２】
2005044269.tif 000004
【図３】
2005044269.tif 000005
【図４】
2005044269.tif 000006
【図５】
2005044269.tif 000007